(57)【要約】【課題】  玄関の土間床に上方が開放された収納室を凹設し、室内床の床下には土間側が開放された床下空間を形成し、収納室の開放面を開閉する開閉板を収納室と床下空間との間でスライド自在に設け、その閉めた状態の開閉板が土間床となるようにした玄関において、閉めた状態の開閉板の上に人が乗ったり歩いたりしても動かないように解除可能にロックして安全性を向上させる。【解決手段】  上り框２３の側面にロックピン４０を上下動自在に取り付け、開閉板３０が全閉及び全開の位置でロックピン４０が自重で下降してロックして開閉板３０のスライドを規制する。開閉板３０が全閉の状態で人が乗ったり歩いたりして衝撃や摩擦が生じても、ロックピン４０でロックされているから開閉板３０は動かず、安全性が向上する。【選択図】  図１
0003166393.tif 000002
【実用新案登録請求の範囲】
【請求項１】
玄関の土間床に上方が開放された収納室を凹設し、室内床の床下には土間側が開放された床下空間を形成し、収納室の開放面を開閉する開閉板を収納室と床下空間との間でスライド自在に設け、その閉めた状態の開閉板が土間床となるようにした玄関において、開閉板を閉めた状態でロックする解除可能なロック手段を設けたことを特徴とする、玄関の土間構造。
【請求項２】
ロック手段が、室内床の端部の開閉板上面位置にロックピンを上下動自在に取り付け、開閉板が全閉及び全開の位置でロックピンが自重で下降してロックして開閉板のスライドを規制するようにしたものである、請求項１記載の玄関の土間構造。
【請求項３】
ロックピンを下向きに付勢するバネを設けた、請求項２記載の玄関の土間構造。
【請求項４】
開閉板をロック手段でロックされる位置まで閉方向へ付勢するバネを設けた、請求項１〜３いずれか記載の玄関の土間構造。
【請求項５】
収納室に空間を複数に仕切る仕切桟を取り付け、その仕切桟の上端で閉めた開閉板を支持できるようにした、請求項１〜４いずれか記載の玄関の土間構造。
【請求項６】
仕切桟と開閉板が互いに接する面のいずれか又は双方に摩擦抵抗の小さい材質の摺動部材を取り付けた、請求項５記載の玄関の土間構造。
【請求項７】
開閉板に通気孔を形成した、請求項１〜６いずれか記載の玄関の土間構造。
【考案の詳細な説明】
【技術分野】
【０００１】
本考案は、マンションやアパート等の玄関の土間構造に関し、詳しくは、玄関の土間床に履き物等を収納できる収納室を設ける技術に関する。
【背景技術】
【０００２】
マンションやアパート等の集合住宅の玄関土間は戸建住宅と比較して空間が制限されやすく、下駄箱を設置すると非常に狭くなる。この限られた空間をできるだけ狭くしないように収納室を設ける技術が特許文献１，２に開示されている。
【０００３】
特許文献１に記載の技術は、壁面に収納室を凹設し、その収納室の開放面に開閉扉を取り付けた壁面埋め込み型の収納装置である。しかし、この技術は、収納室の奥行きを壁の厚み分しか確保できないから、スリッパなどは立て掛けることで収納可能であるが、靴などは収納し難いことがある。その収納室の奥行きを大きくしようと壁を厚くすると、壁面の位置が手前になって逆に空間が狭くなる。ただ、突起物が無い分、据え置き型の下駄箱と比較してある程度広く感じることはできる。
【０００４】
特許文献２に記載の技術は、室内床の床下に収納室を形成し、上り框の下方を開口して引出しを収納室に出し入れ自在に設けた床下引き出し型の収納装置である。ところで、集合住宅の室内床はコンクリートスラブ上にフローリングを直貼りした構造が一般的であり、室内床の高さが戸建住宅と比較して低く、床下に収納室を設け難い。また、高さの低い引出しを設けた場合、収納物が収納室の天井（フローリングの下面）に引っ掛かり易く、引っ掛かった場合は取り出しが困難である。
【０００５】
一方、土間床に収納室を設ける技術が特許文献３に開示されている。この技術は、土間床に収納室を凹設し、室内床の床下に床下空間を形成し、収納室を開閉する開閉板を収納室と床下空間との間でスライド自在に設け、閉めた状態の開閉板が土間床となるようにしたことを特徴としている。この技術によれば、突起物が無くて壁面の位置も変わらないから、何も設置していない状態と同等の広い空間を確保でき、しかも収納室の上面が開放されているから、収納物の引っ掛かりの心配もない、というものである。しかし、この技術では、開閉板の上に人が乗ったり歩いたりする際に衝撃や摩擦で開閉板が動くことがあり、転倒して怪我をする危険があった。
【先行技術文献】
【特許文献】
【０００６】
【特許文献１】実開平５−９３３４０号公報
【特許文献２】実用新案登録第３０７６２０３号公報
【特許文献３】実開平２−３６５４８号公報
【考案の概要】
【考案が解決しようとする課題】
【０００７】
本考案が解決しようとする課題は、従来のこれらの問題点を解消し、閉めた状態の開閉板の上に人が乗ったり歩いたりしても動かないように解除可能にロックして安全性を向上させることにある。
【課題を解決するための手段】
【０００８】
かかる課題を解決した本考案の構成は、
１）  玄関の土間床に上方が開放された収納室を凹設し、室内床の床下には土間側が開放された床下空間を形成し、収納室の開放面を開閉する開閉板を収納室と床下空間との間でスライド自在に設け、その閉めた状態の開閉板が土間床となるようにした玄関において、開閉板を閉めた状態でロックする解除可能なロック手段を設けたことを特徴とする、玄関の土間構造
２）  ロック手段が、室内床の端部の開閉板上面位置にロックピンを上下動自在に取り付け、開閉板が全閉及び全開の位置でロックピンが自重で下降してロックして開閉板のスライドを規制するようにしたものである、前記１）記載の玄関の土間構造
３）  ロックピンを下向きに付勢するバネを設けた、前記２）記載の玄関の土間構造
４）  開閉板をロック手段でロックされる位置まで閉方向へ付勢するバネを設けた、前記１）〜３）いずれか記載の玄関の土間構造
５）  収納室に空間を複数に仕切る仕切桟を取り付け、その仕切桟の上端で閉めた開閉板を支持できるようにした、前記１）〜４）いずれか記載の玄関の土間構造
６）  仕切桟と開閉板が互いに接する面のいずれか又は双方に摩擦抵抗の小さい材質の摺動部材を取り付けた、前記５）記載の玄関の土間構造
７）  開閉板に通気孔を形成した、前記１）〜６）いずれか記載の玄関の土間構造
にある。
【考案の効果】
【０００９】
本考案の前記１）記載の構成によれば、開閉板を閉めた状態でロック手段でロックすると、この状態で開閉板上に人が乗ったり歩いたりして衝撃や摩擦が生じても開閉板は動かず、安全性が向上する。
【００１０】
本考案の前記２）記載の構成によれば、ロックピンを上方に引いた状態で開閉板を閉方向にスライドさせ（スライド開始後はロックピンを離してよい）、開閉板が全閉の位置までスライドするとロックピンが自重で下降して開閉板が自然にロックされる。その後、開閉板をスライドさせようとしてもロックピンと係止してスライドが規制され、衝撃や摩擦で開閉板が不意に動くことはない。
【００１１】
本考案の前記３）記載の構成によれば、ロックピンが自重不足等で下降し難い場合でも、バネの付勢力でロックピンを強制的に下降させて確実にロックするようになり、安全性がさらに向上する。
【００１２】
本考案の前記４）記載の構成によれば、バネの付勢力で開閉板が全閉位置までスライドするから、閉めの操作が楽に行える。特に、この構成に前記２）又は３）記載の構成を組み合わせると、開閉板が全閉後にロックピンが自重又はバネの付勢力で下降してロックされ、閉めとロックの操作を自動化できる。また、開閉板を全開にすると、同様にロックピンが自重又はバネの付勢力で下降し、自動的にロックされて全開の状態が保持され、開閉板を支えておくことなく収納物の出し入れが容易になる。
【００１３】
本考案の前記５）記載の構成によれば、全閉状態の開閉板は収納ボックスの仕切桟で支持されるから、比較的薄い板材を用いても人の荷重に対して十分耐えることができ、低コストで製作できる。
【００１４】
本考案の前記６）記載の構成によれば、摩擦抵抗の小さい摺動部材によって開閉板が静かに滑らかにスライドし、開放時は軽い力で開けることができて操作性が向上する。
【００１５】
本考案の前記７）記載の構成によれば、開閉板の通気孔を通じて外気が収納室内を出入りし、臭気や湿気が滞留することなく自然換気されて収納室を清潔に保持できる。
【図面の簡単な説明】
【００１６】
【図１】実施例の玄関土間の斜視図である。
【図２】実施例の玄関土間の平面図である。
【図３】実施例の玄関土間の断面図である。
【図４】実施例の開閉板の開放を示す説明図である。
【図５】実施例の開閉板の閉鎖を示す説明図である。
【図６】実施例の他の例のロックピンの説明図である。
【考案を実施するための形態】
【００１７】
以下、本考案を実施するための形態を実施例と図面に基づいて具体的に説明する。
【実施例】
【００１８】
図１は実施例の玄関土間の斜視図、図２は実施例の玄関土間の平面図、図３は実施例の玄関土間の断面図、図４は実施例の開閉板の開放を示す説明図、図５は実施例の開閉板の閉鎖を示す説明図である。
【００１９】
図中、１はコンクリートスラブ、２は壁、１０は土間床、１１は収納室、１２は仕切桟、１３は摺動部材、２０は室内床、２１は床下空間、２２はガイド、２３は上り框、２４はフローリング、３０は開閉板、３１は取っ手、３２は通気孔、３３は切欠き、４０はロックピン（ロック手段）、４１は支持部材、４２はネジ、５０は圧縮バネ、Ａは収納物である。
【００２０】
本実施例の玄関の土間床１０は、図１〜３に示すように、コンクリートスラブ１に上方が開放された収納室１１をコンクリートの打設時に凹設し、その収納室１１内に仕切桟１２を格子状に取り付けて空間を仕切り、その仕切桟１２の上端にフッ素樹脂やナイロン樹脂等の摩擦抵抗の小さいプラスチック製の摺動部材１３をネジや接着剤等で取り付けている。収納室１１は土間床１０の一部だけでなく、求める収納量に応じて全面に凹設してもよい。
【００２１】
室内床２０は、コンクリートスラブ１に土間側が開放された床下空間２１を凹設し、その床下空間２１の左右部にフッ素樹脂やナイロン樹脂等の摩擦抵抗の小さいプラスチック製のガイド２２を左右の仕切桟１２の摺動部材１３と連続するように取り付け、その上方に上り框２３とフローリング２４を施工している。
【００２２】
開閉板３０は、幅が９００ｍｍ、奥行きが６００ｍｍ程度の合板等で構成し、その上面に取っ手３１を凹設するとともに通気孔３２を開口し、後側隅部には切欠き３３を形成している。この開閉板３０を収納室１１の開放面に配置し、収納室１１と床下空間２１との間でスライドできるようにしている。開閉板３０を収納室１１に配置した際、開閉板３０の上面と土間床１０の上面が面一となり、全閉時に土間床１０の一部となる。なお、開閉板３０の下面に摩擦抵抗の小さい摺動部材を取り付け、摺動部材同士を摺動させて摩擦抵抗をより小さくできるようにしてもよい。また、取っ手３１の代わりにレバー等を開閉板３０の左右いずれかの端部に突設してもよい。
【００２３】
開閉板３０の上面に床下マットを敷く場合は、開閉板３０とともに床下空間２１に退避できるように開閉板３０よりやや小さ目のものを用いる。また、収納室１１の換気を妨げないように通気性を有するものが望ましい。
【００２４】
上り框２３の側面には支持部材４１をネジ４２で取り付け、その支持部材４１にロックピン４０を上下動可能且つ引き抜き可能に取り付けている。ロックピン４０は、全閉状態の開閉板３０の切欠き３３と一致する位置に取り付ける。ロックピン４０は自重による下降に必要な重量を有する金属製で、下端部は摩擦抵抗を小さくするために丸く形成し、頭部は指を掛け易い形状にしている。なお、ロックピン４０はロックを確実にするために複数個取り付けてもよい。
【００２５】
開閉板３０の後端と床下空間２１の後端との間には圧縮バネ５０を２体取り付けている。圧縮バネ５０は、開閉板３０を全開から全閉の位置までスライドできる付勢力を有している。なお、この圧縮バネ５０に代えて油圧シリンダーを用いてもよい。
【００２６】
本実施例では、図４（ａ）に示すように、開閉板３０が全閉の状態では、ロックピン４０が自重で下降して切欠き３３と係止している。この状態で開閉板３０上に人が乗ったり歩いたりして衝撃や摩擦が生じても、ロックピン４０でロックされているから開閉板３０は動かず、安全性が向上する。また、このとき開閉板３０は収納室１１の仕切桟１２で支持されるから、比較的薄い板材を用いても人の荷重に十分耐えることができ、低コストで製作できる。
【００２７】
収納室１１内は、開閉板３０の通気孔３２を通じて外気が出入りし、臭気や湿気が滞留することなく自然換気されて清潔に保持できる。なお、収納室１１の任意の位置に小型のファン（図示せず）を取り付け、連続的又は間欠的に作動させて収納室１１内を積極的に換気できるようにしてもよい。また、仕切桟１２に通気孔を開口して各室に外気が連通できるようにしてもよい。
【００２８】
開閉板３０を開ける場合は、図４（ｂ）に示すように、ロックピン４０を上方へ引いてロックを解除し、ロックピン４０をその位置で支えた状態で開閉板３０の取っ手３１に手を掛けて床下空間２１へスライドさせる（床下マットを敷いている場合は床下マットも同時にスライドする）。スライド開始後はロックピン４０を離して開閉板３０の上面と摩擦させてもスライドに支障はない。図４（ｃ）に示すように、開閉板３０が全開するとロックピン４０が自重で下降して開閉板３０の前端と係止し、全開の状態が保持される。よって、開閉板３０を支えておくことなく、収納物Ａの出し入れが容易になる。
【００２９】
開閉板３０を閉める場合は、図５（ａ）に示すように、ロックピン４０を上方へ引いてロックを解除すると、開閉板３０が圧縮バネ５０の付勢力で自然にスライドする。スライド開始後はロックピン４０を離して開閉板３０の上面と摩擦させてもスライドに支障はない。図５（ｂ）に示すように、開閉板３０が全閉するとロックピン４０が自重で下降して切欠き３３と係止し、自動的にロックする。いずれの動作も、摺動部材１３及びガイド２２によって開閉板３０は静かに滑らかにスライドし、開放時は軽い力で開けることができて操作性に優れる。
【００３０】
収納室１１を清掃する場合は、ロックピン４０を支持部材４１から引き抜き、開閉板３０を収納室１１から取り外す。これにより、収納室１１の全上面が開放され、掃除機等で吸引することで容易に清掃できるようになる。また、仕切桟１２を脱着可能にしたり、仕切桟１２を備えた別体の収納ボックス等を収納室１１に対して脱着自在に設けると、清掃がより容易に行える。
【００３１】
図６に示すのは、実施例のロックピンの他の例である。図６は実施例の他の例のロックピンの説明図である。図中、４３は引張りバネである。この例では、ロックピン４０と支持部材４１との間に引張りバネ４３を取り付け、ロックピン４０を下向きに付勢するようにしている。これにより、ロックピン４０が自重不足や支持部材４１との摩擦等で下降し難い場合でも、引張りバネ４３の付勢力でロックピン４０を強制的に下降させて確実にロックするようになり、安全性がさらに向上する。その他、符号、構成、作用効果は実施例と同一である。
【産業上の利用可能性】
【００３２】
本考案の技術は、マンションやアパート等の集合住宅の玄関に有用であるが、戸建住宅の玄関にも利用できる。
【符号の説明】
【００３３】
１  コンクリートスラブ
２  壁
１０  土間床
１１  収納室
１２  仕切桟
１３  摺動部材
２０  室内床
２１  床下空間
２２  ガイド
２３  上り框
２４  フローリング
３０  開閉板
３１  取っ手
３２  通気孔
３３  切欠き
４０  ロックピン（ロック手段）
４１  支持部材
４２  ネジ
４３  引張りバネ
５０  圧縮バネ
Ａ  収納物
【図１】
0003166393.tif 000003
【図２】
0003166393.tif 000004
【図３】
0003166393.tif 000005
【図４】
0003166393.tif 000006
【図５】
0003166393.tif 000007
【図６】
0003166393.tif 000008